(57)【要約】【課題】蓄電装置の充電機能停止や劣化の進行を防ぐこと。【解決手段】電力系統６と連系され、風力によって発電する風力発電装置２と接続される二次電池３１の充放電を制御する制御装置１０であって、電力系統６から出力低減指令を取得した場合に、現在の二次電池３１の充電率である現状値が、二次電池３１の目標充電率より大きいか否かを判定する判定部１１と、判定の結果、二次電池３１の現状値が目標充電率以下であると判定された場合に、風力発電装置２の出力と出力低減指令によって目標とされる目標出力との差の出力の少なくとも一部を二次電池３１に充電させ、二次電池３１の充電率が目標充電率となるように充電させる制御部１２とを具備する。【選択図】図１
2015136210.tif 000002
【特許請求の範囲】
【請求項１】
電力系統と連系され、自然エネルギーによって発電する発電装置と接続される蓄電装置の充放電を制御する制御装置であって、
前記電力系統の出力低減指令を取得した場合に、
現在の前記蓄電装置の充電率である現状値が、前記蓄電装置の目標充電率より大きいか否かを判定する判定手段と、
判定の結果、前記蓄電装置の前記現状値が前記目標充電率以下であると判定された場合に、前記発電装置の出力と前記出力低減指令によって目標とされる目標出力との差の出力の少なくとも一部を前記蓄電装置に充電させ、前記蓄電装置の充電率が前記目標充電率となるように充電させる制御手段と
を具備する制御装置。
【請求項２】
前記制御手段は、前記発電装置の出力が、所定の出力低減レートによって前記目標出力に低減されるまでにかかる所要時間を算出し、前記所要時間かけて前記蓄電装置の充電率が前記目標充電率となるように制御する請求項１に記載の制御装置。
【請求項３】
前記制御手段は、前記蓄電装置の劣化に影響を与えない所定の閾値以下の充電電流値で前記蓄電装置を充電させる請求項１または請求項２に記載の制御装置。
【請求項４】
前記制御手段は、前記現状値と前記目標充電率との差と前記所要時間とに基づいて仮の前記充電電流値を算出し、仮の前記充電電流値が前記所定の閾値より小さい場合に、算出した仮の前記充電電流値の充電電流によって前記蓄電装置を充電させ、仮の前記充電電流値が前記閾値以上である場合に前記閾値の充電電流によって前記蓄電装置を充電させる請求項３に記載の制御装置。
【請求項５】
前記蓄電装置には、短周期の出力変動の抑制に優れた第１蓄電装置及び長周期の出力変動の抑制に優れた第２蓄電装置を含み、
前記電力系統から出力低減指令を取得した場合に、
前記制御手段は、前記第２蓄電装置の充電率が所定の満充電状態となるまで、前記第２蓄電装置を充電させる請求項１から請求項４のいずれかに記載の制御装置。
【請求項６】
前記制御手段は、前記第２蓄電装置の充電率が前記所定の満充電状態よりも所定量低い充電率となったことを検出した場合に、前記発電装置の出力を低減させる指令を出力する請求項５に記載の制御装置。
【請求項７】
請求項１から請求項６のいずれかに記載の制御装置と、蓄電装置とを備える発電システム。
【請求項８】
電力系統と連系され、自然エネルギーによって発電する発電装置と接続される蓄電装置の充放電を制御する制御方法であって、
前記電力系統の出力低減指令を取得した場合に、
現在の前記蓄電装置の充電率である現状値が、前記蓄電装置の目標充電率より大きいか否かを判定する第１過程と、
判定の結果、前記蓄電装置の前記現状値が前記目標充電率以下であると判定された場合に、前記発電装置の出力と前記出力低減指令によって目標とされる目標出力との差の出力の少なくとも一部を前記蓄電装置に充電させ、前記蓄電装置の充電率が前記目標充電率となるように前記蓄電装置を充電させる第２過程と
を有する制御方法。
【請求項９】
電力系統と連系され、自然エネルギーによって発電する発電装置と接続される蓄電装置の充放電を制御する制御プログラムであって、
前記電力系統の出力低減指令を取得した場合に、
現在の前記蓄電装置の充電率である現状値が、前記蓄電装置の目標充電率より大きいか否かを判定する第１処理と、
判定の結果、前記蓄電装置の前記現状値が前記目標充電率以下であると判定された場合に、前記発電装置の出力と前記出力低減指令によって目標とされる目標出力との差の出力の少なくとも一部を前記蓄電装置に充電させ、前記蓄電装置の充電率が前記目標充電率となるように前記蓄電装置を充電させる第２過処理をコンピュータに実行させるための制御プログラム。
【発明の詳細な説明】
【技術分野】
【０００１】
本発明は、制御装置、それを備えた発電システム、及び制御方法並びに制御プログラムに関するものである。
【背景技術】
【０００２】
例えば、ウインドファームにおいて風力発電装置の出力変動を抑制する際、風力発電装置の出力をできる限り低減することなく、バッテリー等のエネルギー貯蔵が可能な設備を用いるだけでその変動を抑制することが要求されている。
下記特許文献１では、直流エネルギー貯蔵装置の満充電時及び放電末時において、直流エネルギー貯蔵装置の充電率を制御することによって、交流電力系統に発生する有効電力の変動を抑制することが記載されている。
【先行技術文献】
【特許文献】
【０００３】
【特許文献１】特開２０１２−１００４８７号公報
【発明の概要】
【発明が解決しようとする課題】
【０００４】
ところで、出力変動の抑制制御が実施されている場合において、電力系統運用者より、系統安定化のためウインドファームの出力をある一定値以下に低下させる指令が出されることがある。そうした場合、第一に風力発電装置の出力を低減するが、急激に出力を低下させると電力系統への悪影響が予測されるため、一般的には、数分間の時間を掛けて目標とする出力値に近づけるようにしている。
このとき、バッテリーの運用方法を誤ると、最大充電電流を発生させ、バッテリーが一気に満充電状態となり、その結果、バッテリーの充電機能停止や劣化が進むという好ましくない状態が引き起こされ、電力系統の安定化に寄与できないという問題があった。
【０００５】
本発明は、このような事情に鑑みてなされたものであって、蓄電装置の充電機能停止や劣化の進行を防ぐことができる蓄電装置の制御装置、それを備えた発電システム、及び制御方法並びに制御プログラムを提供することを目的とする。
【課題を解決するための手段】
【０００６】
上記課題を解決するために、本発明は以下の手段を採用する。
本発明は、電力系統と連系され、自然エネルギーによって発電する発電装置と接続される蓄電装置の充放電を制御する制御装置であって、前記電力系統の出力低減指令を取得した場合に、現在の前記蓄電装置の充電率である現状値が、前記蓄電装置の目標充電率より大きいか否かを判定する判定手段と、判定の結果、前記蓄電装置の前記現状値が前記目標充電率以下であると判定された場合に、前記発電装置の出力と前記出力低減指令によって目標とされる目標出力との差の出力の少なくとも一部を前記蓄電装置に充電させ、前記蓄電装置の充電率が前記目標充電率となるように充電させる制御手段とを具備する制御装置を提供する。
【０００７】
本発明によれば、電力系統の出力低減指令を取得した場合に、出力低減指令によって目標とされる目標出力以上の出力は余剰となるので、蓄電装置の現在の充電率である現状値が目標充電率以下であると判定された場合には、蓄電装置が目標充電率となるまで余剰となった出力の少なくとも一部を蓄電装置に充電させる。
このように、従来は余剰となり捨てられていた発電装置の出力の一部を蓄電し、目標充電率を維持するように充電制御されることによって、蓄電装置が望ましい状態で運用される。これにより、蓄電装置の充電が急激に進行して満充電に到達するのを防ぎ、充電機能停止や蓄電装置の劣化の進行を防ぐことができる。
【０００８】
上記制御装置の前記制御手段は、前記発電装置の出力が、所定の出力低減レートによって前記目標出力に低減されるまでにかかる所要時間を算出し、前記所要時間かけて前記蓄電装置の充電率が前記目標充電率となるように制御することが好ましい。
【０００９】
発電装置の出力が目標出力になるまでの所要時間をかけて、蓄電装置の充電率を目標充電率になるように充電制御されるので、蓄電装置の充電の進行が緩やかとなり、発電装置の出力低減時において蓄電装置の劣化の進行を防ぐことができる。
【００１０】
上記制御装置の前記制御手段は、前記蓄電装置の劣化に影響を与えない所定の閾値以下の充電電流値で前記蓄電装置を充電させることが好ましい。
【００１１】
発電装置の出力低減レートが速い場合には、蓄電装置に大電流が流れることになり、蓄電装置が劣化（損傷）するおそれがあるので、充電電流に閾値を設ける。充電電流に閾値を設けることにより、蓄電装置の充電率が目標充電率に到達することよりも蓄電装置の損傷を確実に防ぐことを優先できる。
【００１２】
上記制御装置の前記制御手段は、前記現状値と前記目標充電率との差と前記所要時間とに基づいて仮の前記充電電流値を算出し、仮の前記充電電流値が前記所定の閾値より小さい場合に、算出した仮の前記充電電流値の充電電流によって前記蓄電装置を充電させ、仮の前記充電電流値が前記閾値以上である場合に前記閾値の充電電流によって前記蓄電装置を充電させることとしてもよい。
【００１３】
蓄電装置の充電率に応じた仮の充電電流値を算出し、仮の充電電流値が閾値を超えない範囲であれば算出した仮の充電電流値の充電電流によって蓄電装置を充電させるので、蓄電装置の充電状況に応じた制御ができ、目標充電率を精度よく維持できる。
【００１４】
上記制御装置において、前記蓄電装置には、短周期の出力変動の抑制に優れた第１蓄電装置及び長周期の出力変動の抑制に優れた第２蓄電装置を含み、前記電力系統の出力低減指令を取得した場合に、前記制御手段は、前記第２蓄電装置の充電率が所定の満充電状態となるまで、前記第２蓄電装置を充電させることとしてもよい。
【００１５】
発電装置の出力低減制御をしていなくても、長周期の出力変動の抑制に優れた第２蓄電装置によって充電することにより、発電装置の出力と第２蓄電装置の充電量とによって得られる合成出力が低減できる。本発明によれば、発電装置の出力を低減させる制御を遅らせることができるので、従来捨てられていた発電装置の出力の一部をより多く蓄電できるため、売電量が増加する。
【００１６】
上記制御装置の前記制御手段は、前記第２蓄電装置の充電率が前記所定の満充電状態よりも所定量低い充電率となったことを検出した場合に、前記発電装置の出力を低減させる指令を出力することとしてもよい。
【００１７】
これにより、第２蓄電装置が所定の満充電状態に到達した後の発電装置による出力の余剰を抑制することができる。
【００１８】
本発明は、上記いずれかに記載の制御装置と、蓄電装置とを備える発電システムを提供する。
【００１９】
本発明は、電力系統と連系され、自然エネルギーによって発電する発電装置と接続される蓄電装置の充放電を制御する制御方法であって、前記電力系統の出力低減指令を取得した場合に、現在の前記蓄電装置の充電率である現状値が、前記蓄電装置の目標充電率より大きいか否かを判定する第１過程と、判定の結果、前記蓄電装置の前記現状値が前記目標充電率以下であると判定された場合に、前記発電装置の出力と前記出力低減指令によって目標とされる目標出力との差の出力の少なくとも一部を前記蓄電装置に充電させ、前記蓄電装置の充電率が前記目標充電率となるように前記蓄電装置を充電させる第２過程とを有する制御方法を提供する。
【００２０】
本発明は、電力系統と連系され、自然エネルギーによって発電する発電装置と接続される蓄電装置の充放電を制御する制御プログラムであって、前記電力系統の出力低減指令を取得した場合に、現在の前記蓄電装置の充電率である現状値が、前記蓄電装置の目標充電率より大きいか否かを判定する第１処理と、判定の結果、前記蓄電装置の前記現状値が前記目標充電率以下であると判定された場合に、前記発電装置の出力と前記出力低減指令によって目標とされる目標出力との差の出力の少なくとも一部を前記蓄電装置に充電させ、前記蓄電装置の充電率が前記目標充電率となるように前記蓄電装置を充電させる第２過処理をコンピュータに実行させるための制御プログラムを提供する。
【発明の効果】
【００２１】
本発明は、蓄電装置の充電機能停止や劣化の進行を防ぐことができるという効果を奏する。
【図面の簡単な説明】
【００２２】
【図１】本発明の第１の実施形態に係る発電システムの概略構成図である。
【図２】（ａ）本発明の第１の実施形態に係る風力発電装置の出力の時間傾向を示した図、（ｂ）第１の実施形態に係るマスターコントローラによる充放電制御する場合の充電電流の時間傾向を示した図、（ｃ）第１の実施形態に係る二次電池の充電率の時間傾向を示した図である。
【図３】本発明の第１の実施形態に係るマスターコントローラの動作フローである。
【図４】本発明の第１の実施形態に係るマスターコントローラの動作フローの続きである
【図５】本発明の第２の実施形態に係る発電システムの概略構成図である。
【図６】本発明の第２の実施形態に係る制御装置の機能ブロック図である。
【図７】（ａ）本発明の第２の実施形態に係る風力発電装置の出力の時間傾向を示した図、（ｂ）第２の実施形態に係る第２蓄電装置の充電率の時間傾向を示した図である。
【発明を実施するための形態】
【００２３】
以下に、本発明に係る制御装置、それを備えた発電システム、及び制御方法並びに制御プログラムの実施形態について、図面を参照して説明する。
【００２４】
〔第１の実施形態〕
図１は、本実施形態に係るマスターコントローラ（制御装置）１０を備えた発電システム１の概略構成を示している。本実施形態においては、自然エネルギーによって発電する発電装置は、風力発電装置（以下「風車」ともいう）である場合を例に挙げて説明するが、発電装置は風力発電装置の他に太陽光発電装置、波力発電装置など発電量平準化が可能な電力貯蔵装置との組合せが好ましい発電装置であり、風力発電装置に限定されない。
【００２５】
図１に示されるように、本実施形態に係る発電システム１は、風力発電装置（発電装置）２と、電力貯蔵装置３と、マスターコントローラ１０とを備えており、電力系統６と接続されている。マスターコントローラ１０は、接続点から取得される風力発電装置の出力に基づいて決定される充放電指令値を電力貯蔵装置３に出力する。
また、風力発電装置コントローラ２０は、ウインドファームコントローラ２１から取得した指令に基づいて風力発電装置２を制御する。
【００２６】
風力発電装置２は、自然環境によって出力が変動する発電装置の一例であり、風力によって発電する発電装置である。簡素化のため図１は風力発電装置２が１個である場合を例に挙げて説明するが、マスターコントローラ１０で管理する風力発電装置２の個数は特に限定されない。また、本実施形態では、風力発電装置を例に挙げているが、異なる種類の発電装置が複数設けられていてもよい。
【００２７】
電力貯蔵装置３は、バッテリーコントローラ３０と、二次電池（蓄電装置）３１と、電力変換器３２とを備えている。
二次電池３１は、リチウムイオン二次電池、鉛蓄電池、ニッケル水素二次電池など特に限定されないが、充放電の追従性がよいことからリチウムイオン二次電池であることが好ましい。
バッテリーコントローラ３０は、マスターコントローラ１０から取得する充放電指令値に基づいて電力変換器３２を制御し、二次電池３１の充電率ＳＯＣ（Ｓｔａｔｅ  ｏｆ  Ｃｈａｒｇｅ）を調整する。
【００２８】
電力変換器３２は、交流と直流を変換する交流直流変換器であって、例えば、バッテリーコントローラ３０によって決定された充放電指令値とするために二次電池３１に蓄電されている直流電力を交流電力に変換し、二次電池３１から放電させる。また、電力変換器３２は、バッテリーコントローラ３０によって決定された充放電指令値にするために風力発電装置２や電力系統６から取得した交流電力を直流電力に変換し、変換後の電力を二次電池３１に出力し、二次電池３１を充電させる。
【００２９】
マスターコントローラ１０は、例えば、図示しないＣＰＵ（中央演算装置）、ＲＡＭ（Ｒａｎｄｏｍ  Ａｃｃｅｓｓ  Ｍｅｍｏｒｙ）、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。
具体的には、図１に示されるように、マスターコントローラ１０は、判定部（判定手段）１１と、制御部（制御手段）１２とを備えている。
【００３０】
電力系統６から系統安定化のため風力発電装置２の出力をある一定値以下に低下させる指令が出されることがある。判定部１１は、電力系統６の出力低減指令を取得した場合に、現在の二次電池３１の充電率である現状値が、二次電池３１の目標充電率より大きいか否かを判定し、判定結果を出力する。本実施形態において、目標充電率は、例えば、ＳＯＣ５０％と設定されていることとして説明するが、これに限定されず、目標とする充電率から所定範囲を設けて、例えば、目標充電率ＳＯＣ５０％±２％と設定してもよい。また、ここで用いる数値は実施形態を説明するための一例である。
【００３１】
制御部１２は、判定の結果、二次電池３１の現状値が目標充電率以下であると判定された場合に、風力発電装置２の出力と出力低減指令によって目標とされる目標出力との差の出力の少なくとも一部を二次電池３１に充電させ、二次電池３１の充電率が目標充電率となるように充電させる。図２（ａ）には、横軸に時間を示し、縦軸に風力発電装置２の出力を示している。図２（ａ）に示すように、制御部１２は、風力発電装置２の出力が目標出力になるまでの差の出力、すなわち、時刻０から時刻ｔの期間の目標出力以上の出力（斜線部）の少なくとも一部を二次電池３１に充電させる。
【００３２】
具体的には、制御部１２は、以下のように充電電流を制御することによって、二次電池３１の充電率を目標充電率になるように充電する。
制御部１２は、風力発電装置２の出力が、所定の出力低減レートによって目標出力に低減されるまでにかかる所要時間ｔを算出し、所要時間ｔの時間をかけて二次電池３１の充電率が目標充電率となるように制御する。より具体的には、風力発電装置２の出力と目標出力との差を低下させるべき風車出力ΔＰとし、所定の風車出力低減レートをｄｐ／ｄｔとして示す場合に、所要時間ｔは以下の（１）式によって求められる。
【数１】
2015136210.tif 000003
【００３３】
制御部１２は、二次電池３１の劣化に影響を与えない所定の閾値以下の充電電流値で二次電池３１を充電させる。具体的には、制御部１２は、現状値と目標充電率との差ΔＳＯＣと所要時間ｔとに基づいて仮の充電電流値Ｉ＿ｐｒｅを算出し、仮の充電電流値Ｉ＿ｐｒｅが所定の閾値より小さい場合に、算出した仮の充電電流値Ｉ＿ｐｒｅの充電電流によって二次電池３１を充電させ、仮の充電電流値Ｉ＿ｐｒｅが閾値以上である場合に閾値の充電電流によって二次電池３１を充電させる。
【００３４】
二次電池３１の劣化に影響を与えない所定の閾値以下の充電電流値とは、例えば、１Ｃ以下が好ましい。ここで、１Ｃとは、１〔ｋＷｈ〕のシステムを１時間かけて充電するときに流れる電流値とする。
充電電流に閾値を設ける根拠は、風力発電装置２の出力低減レートが速い場合には、二次電池３１に大電流が流れることになり二次電池３１が劣化（損傷）するおそれがあるので、二次電池３１の劣化（損傷）を防ぐためである。充電電流に閾値を設けることにより、二次電池３１の充電率を目標充電率に到達させることよりも二次電池３１の劣化（損傷）を防ぐことを優先できる。
【００３５】
また、仮の充電電流値Ｉ＿ｐｒｅは以下の（２）式で求められる。
【数２】
2015136210.tif 000004
【００３６】
制御部１２は、こうして求めた仮の充電電流値Ｉ＿ｐｒｅと閾値１Ｃとを比較し、仮の充電電流値Ｉ＿ｐｒｅが閾値１Ｃより小さければ仮の充電電流値Ｉ＿ｐｒｅを二次電池３１を制御する充電電流として採用して制御し、仮の充電電流値Ｉ＿ｐｒｅが閾値１Ｃ以上であれば閾値１Ｃを二次電池３１を制御する充電電流として採用して制御する。このように決定された充電電流で制御すると、図２（ｂ）のような緩やかな充電電流の変化となる。
【００３７】
このように充電電流が制御された二次電池３１は、図２（ｃ）に示すように、時刻０から時刻ｔの風車出力が目標出力まで出力低減される所要時間ｔの時間をかけて、二次電池３１が目標充電率に到達する。二次電池３１が目標充電率に到達したら、充放電を停止する。風力発電装置２が目標出力に到達したことが検出された後、二次電池３１による平滑化制御が行われる。
こうして二次電池３１の充電率が目標充電率を維持するように制御されることにより、風車出力低減の完了後の時刻ｔ以降において、系統の安定度が増す。また、二次電池３１の充電率が目標充電率を維持することによって、最小限の充放電で平滑化でき、かつ、二次電池３１の劣化の進行を防ぐことができる。
【００３８】
以下に、本実施形態にかかるマスターコントローラ１０の作用について説明する。
通常運転がされている場合に（図３のステップＳＡ１）、出力低減指令を取得したか否かを判定する（図３のステップＳＡ２）。出力低減指令を取得していない場合には（図３のステップＳＡ２のＮＯ）、出力低減指令を取得したか否かの判定を繰り返す。電力系統６の監視者より系統安定化のため所定の出力制限値を指定する出力低減指令が発令され、マスターコントローラ１０に出力低減指令が入力される。出力低減指令を取得した場合には（図３のステップＳＡ２のＹＥＳ）、二次電池３１の充電率が目標充電率ＳＯＣ５０％より大きいか否かが判定される（図３のステップＳＡ３）。
【００３９】
二次電池３１の充電率が目標充電率ＳＯＣ５０％以下であると判定された場合には（図３のステップＳＡ３のＮＯ）、充電電流１Ｃ以下のレートで充電を行い（図３のステップＳＡ４）、図３のステップＳＡ３を繰り返す。
二次電池３１の充電率が目標充電率ＳＯＣ５０％より大きいと判定された場合には（図３のステップＳＡ３のＹＥＳ）、二次電池３１の充放電が停止され（図３のステップＳＡ５）、風力発電装置２の出力低減が完了したか否かが判定される（図３のステップＳＡ６）。風力発電装置２の出力低減が完了していないと判定された場合には、この判定を繰り返し、風力発電装置２の出力低減が完了と判定された場合には、平準化運転が開始される（図３のステップＳＡ７）。
【００４０】
平準化運転が開始されると（図４のステップＳＢ１）、風力発電装置２の出力低減指令が解除されたか否かが判定される（図４のステップＳＢ２）。風力発電装置２の出力低減指令が解除されていない場合には（図４のステップＳＢ２のＮＯ）、この判定を繰り返し、風力発電装置２の出力低減指令が解除された場合には（図４のステップＳＢ２のＹＥＳ）、二次電池３１の充放電を停止させる（図４のステップＳＢ３）。その後、風力発電装置２を通常運転に移行制御させ、移行が完了したか否かが判定され（図４のステップＳＢ４）、移行が完了した場合には、通常運転が開始される（図４のステップＳＢ５）。
【００４１】
以上説明してきたように、本実施形態に係るマスターコントローラ１０、それを備えた発電システム１、及び制御方法並びに制御プログラムによれば、電力系統６の出力低減指令を取得した場合に、出力低減指令によって目標とされる目標出力以上の出力は余剰となるので、二次電池３１の現在の充電率である現状値が目標充電率以下であると判定された場合には、二次電池３１が目標充電率となるまで余剰となった出力の少なくとも一部を二次電池３１に充電させる。
このように、従来は余剰となり捨てられていた風力発電装置２の出力の一部を蓄電し、目標充電率を維持するように充電制御されることによって、二次電池３１が望ましい状態で運用される。これにより、二次電池３１の充電が急激に進行して満充電に到達するのを防ぎ、充電機能停止や蓄電装置の劣化の進行を防ぐことができる。
【００４２】
なお、上記実施形態において、電力系統６の出力低減指令は、電力系統６を監視する監視者が発令したものとして説明していたが、これに限定されず、マスターコントローラ１０が、電力系統６側から出力低減指令を取得したことによって充放電制御を開始することとしてもよい。
【００４３】
〔第２の実施形態〕
以下、本発明の第２の実施形態について図５から図７を用いて説明する。本第２の実施形態に係る発電システム１´は、蓄電装置として、短周期の出力変動の抑制に優れた第１蓄電装置３１ａと、長周期の出力変動の抑制に優れた第２蓄電装置３１ｂとを備える点で第１の実施形態と異なる。以下、第１の実施形態と共通する点については説明を省略し、異なる点について主に説明する。
【００４４】
図５は、本実施形態にかかる発電システム１´の概略構成を示している。
発電システム１´は、第１蓄電装置３１ａと、第２蓄電装置３１ｂとを備えている。
第１蓄電装置３１ａは、上記第１の実施形態で述べた二次電池３１と同様に制御されるものであり、風力発電装置２の出力と出力低減指令によって目標とされる目標出力との差の出力の少なくとも一部を充電し、充電率が目標充電率となるように充電制御される。第１蓄電装置３１ａは、短周期の出力変動の抑制に優位性を持つ電池であって、例えば、リチウムイオン電池等が用いられる。
第２蓄電装置３１ｂは、長周期の出力変動の抑制に優位性を持つ電池であって、例えば、鉛電池、ナトリウム・硫黄電池（ＮＡＳ電池（登録商標））等が用いられる。第２蓄電装置３１ｂは、出力低減指令が検出された場合に、風力発電装置２の余剰出力をできるだけ充電させるように制御される蓄電装置である。
【００４５】
制御部１２´は、電力系統６の出力低減指令を取得した場合に、第２蓄電装置３１ｂの充電率が所定の満充電状態となるまで、第２蓄電装置３１ｂを充電させる。
また、制御部１２´は、第２蓄電装置３１ｂの充電率が所定の満充電状態よりも所定量低い充電率となったことを検出した場合に、風力発電装置２の出力を低減させる指令を出力する。
【００４６】
図６は、制御部１２´の機能ブロック図を示している。合成出力Ｐ＿ｔｏｔａｌ＿ｍｅａｓｕｒｅは、風力発電装置２の出力と第１蓄電装置３１ａ及び第２蓄電装置３１ｂの充電量とに基づいて算出される。合成出力Ｐ＿ｔｏｔａｌ＿ｍｅａｓｕｒｅと、目標出力Ｐ＿ｔｏｔａｌ＿ｔａｒｇｅｔとの差をデマンド値Ｐ＿ｄｅｍ＿ｅｘｐとし、第２蓄電装置３１ｂに対する指令値が、所定の満充電状態までを充電可能量とするリミットＲによって制限されて出力される。
また、第２蓄電装置３１ｂで充電しきれない分の出力は、風力発電装置２に対する出力指令Ｐ＿ｄｅｍ＿ｗｔｇとして出力される。なお、このリミットＲは、第２蓄電装置３１ｂにかけられる制限であり、充電率が上がればリミットＲの値が小さくなり、充電可能量が小さくなる。
【００４７】
以下に、本実施形態に係る発電システム１´の作用について図７を用いて説明する。
一点鎖線は、第２蓄電装置３１ｂが設けられる場合の風力発電装置２の出力制限の様子を示しており、実線は、第２蓄電装置３１ｂが設けられない場合（例えば、第１の実施形態）の風力発電装置２の出力制限の様子を示しており、点線は、風力発電装置２と第１蓄電装置３１ａと第２蓄電装置３１ｂとによって目標とする目標合成出力である。
【００４８】
時刻ｔ０において、出力低減指令が取得され、出力制限運転が開始されると、第１蓄電装置３１ａは第１の実施形態で述べたように制御される。第２蓄電装置３１ｂは、第２蓄電装置３１ｂの充電率が所定の満充電状態よりも所定量低い充電率に到達しているか否かが判定され、所定の満充電状態よりも所定量低い充電率に到達していない場合には、風力発電装置２の出力低減は行わずに、充電率が所定の満充電状態よりも所定量低い充電率に到達するまで第２蓄電装置３１ｂに充電をさせる。そうすると、風力発電装置２の出力低減がされていなくても、電力系統６側への出力は低減し、図７（ａ）の点線で示される目標合成出力のような合成出力が得られる。また、図７（ｂ）で示されるように、第２蓄電装置３１ｂの充電率は上昇する。
【００４９】
第２蓄電装置３１ｂの充電率が所定の満充電状態よりも所定量低い充電率に到達していることが検出された場合には、制御部１２からウインドファームコントローラ２１に対して、風力発電装置２の出力を低減させる出力指令値が出力される。ウインドファームコントローラ２１は、出力指令値を取得すると、風力発電コントローラ２０を介して出力指令値に基づいて風力発電装置２の出力を低減させる。そうすると、図７（ａ）の一点鎖線で示されるように、時刻ｔ１以降では、風力発電装置２の出力が低減される。
風力発電装置２の出力の低減と、第２蓄電装置３１ｂによる充電によって、時刻ｔ２において、目標合成出力に一致するような出力が得られる。
電力系統６側に出される出力が、目標合成出力に一致した場合には、平滑化が開始され、第１蓄電装置３１ａ及び第２蓄電装置３１ｂによる平滑化制御が開始される。
【００５０】
風車発電装置２の出力を低減させる制御の完了後であったとしても、わずかながら風力発電装置２の出力は、該当風力発電装置２に吹き込む風速変動に依存する。そのため、図７（ａ）で示されるように、風力発電装置２は出力変動がみられることがあるが、第２蓄電装置３１ｂが所定の満充電状態に到達していなければ、第１蓄電装置３１ａよりも優先して第２蓄電装置３１ｂに充電が行われる。時刻ｔ３において、第２蓄電装置３１ｂの充電率が所定の満充電状態に到達すると、第２蓄電装置３１ｂの充電は完了され、第２蓄電装置３１ｂの充放電が停止される。時刻ｔ３以降は、第１蓄電装置３１ａによって平滑化制御が行われる。
【００５１】
以上説明してきたように、本実施形態に係るマスターコントローラ１０、それを備えた発電システム１、及び制御方法並びに制御プログラムによれば、風力発電装置２の出力を低減させる制御をしていなくても、長周期の出力変動の抑制に優れた第２蓄電装置３１ｂによって充電することにより、風力発電装置２の出力と第２蓄電装置３１ｂの充電量とによって得られる目標合成出力は徐々に低減できる。これにより、風力発電装置２の出力を低減させる制御を遅らせることができるので、従来、捨てられていた風力発電装置２の出力の一部をより多く蓄電でき、売電量が増加する。
【符号の説明】
【００５２】
１  発電システム
２  風力発電装置（発電装置）
３  電力貯蔵装置
６  電力系統
１０  マスターコントローラ（制御装置）
１１  判定部（判定手段）
１２  制御部（制御手段）
３０  バッテリーコントローラ
３１  二次電池（蓄電装置）
【図１】
2015136210.tif 000005
【図２】
2015136210.tif 000006
【図３】
2015136210.tif 000007
【図４】
2015136210.tif 000008
【図５】
2015136210.tif 000009
【図６】
2015136210.tif 000010
【図７】
2015136210.tif 000011